(57)【特許請求の範囲】
【請求項１】
面材と、
前記面材の外周部を収容する面材収容部を有する枠部材と、
前記面材の面外方向の移動を規制し、前記面材の面内方向における前記枠部材との間隔が変化する方向に移動可能に前記面材収容部内に設けられた金属製の規制金具と、
前記規制金具と前記枠部材との間に設けられ、加熱されて発泡し前記規制金具を前記面材側に押圧する加熱発泡材と、
を有することを特徴とする建具。
【請求項２】
請求項１に記載の建具であって、
前記枠部材は、前記面材収容部の外周側に中空部を有する合成樹脂製の枠体と、前記中空部内に設けられる金属製の補強部材と、を有し、
前記規制金具は、前記補強部材に取り付けられていることを特徴とする建具。
【請求項３】
請求項１に記載の建具であって、
前記枠部材は、アルミニウム製の枠体を有し、
前記規制金具は、前記枠体に取り付けられていることを特徴とする建具。
【請求項４】
請求項２または請求項３に記載の建具であって、
前記枠部材は、前記面材収容部に収容される前記面材の端面と対向する対向面側から前記面材収容部内に突出するガイド部を有し、
前記規制金具は、前記ガイド部に沿って移動可能に設けられ、
前記加熱発泡材は、前記規制金具の前記対向面側に設けられていることを特徴とする建具。
【請求項５】
請求項４に記載の建具であって、
前記規制金具は、前記対向面側に突出し、発泡する前記加熱発泡材を前記対向面側に案内する案内部を有していることを特徴とする建具。
【発明の詳細な説明】
【技術分野】
【０００１】
本発明は、  面材と面材の外周部を収容する枠部材とを備える建具に関する。
【背景技術】
【０００２】
面材の外周部が枠部材に収容される構造として、たとえば、面材としての複層ガラスの外周部を挟み込んで一体化を図るための挟持部と挟持部をサッシュに固定する取付部とにより構成された金属製の挟持部材が複層ガラスに設けられて、複層ガラスの縁部が枠体に設けられた収容空間に収容される複層ガラスの取付構造が知られている（例えば、特許文献１参照）。挟持部は断面Ｕ字型に形成してあり、取付部は挟持部から延出する形に一体に形成してあり、その延出部分はサッシュ本体の金属製の芯材にボルト接合されたチタン板及び熱膨張性の黒鉛板を枠体との間に挟んだ状態でボルト接合されている。
【先行技術文献】
【特許文献】
【０００３】
【特許文献１】特許第２７８８１６７号公報
【発明の概要】
【発明が解決しようとする課題】
【０００４】
ガラスのような面材は、火災などにより加熱されると撓みが生じる。このとき、上記のように、ガラスの外周部に設けられている挟持部材が芯材にボルト接合されるなどして枠体側に固定されていると、撓みが生じたガラスの外周部が挟持部材から外れてしまう虞があるという課題がある。
【０００５】
本発明は、かかる課題に鑑みてなされたものであり、その目的とするところは、加熱されて面材に撓みが生じたとしても、外周部に設けられた金属製の部材から面材が外れ難い建具を提供することにある。
【課題を解決するための手段】
【０００６】
かかる目的を達成するために本発明の建具は、面材と、前記面材の外周部を収容する面材収容部を有する枠部材と、前記面材の面外方向の移動を規制し、前記面材の面内方向における前記枠部材との間隔が変化する方向に移動可能に前記面材収容部内に設けられた金属製の規制金具と、前記規制金具と前記枠部材との間に設けられ、加熱されて発泡し前記規制金具を前記面材側に押圧する加熱発泡材と、を有することを特徴とする建具である。
【０００７】
このような建具によれば、面材の面外方向の移動を規制する金属製の規制金具は、面材の面内方向における枠部材との間隔が変化する方向に移動可能に設けられており、規制金具と枠部材との間に設けられた加熱発泡材は、加熱されたときに面材の面内方向において規制金具と枠部材との間隔を広げる方向に発泡するので、火炎等に晒されて加熱発泡材が発泡すると、規制金具は面材の面内方向において枠部材から離れる方向、すなわち面材の端側に押圧される。このため、火炎等により面材に撓みが生じ、面材の外周部が規制金具から離れる方向に移動したとしても、規制金具は発泡した加熱発泡材により面材側に押圧されて面材の端側に移動するため面材が規制金具から外れることを防止することが可能である。すなわち、加熱されて面材に撓みが生じたとしても、外周部に設けられた金属製の部材である規制金具から面材が外れ難い建具を提供することが可能である。
【０００８】
かかる建具であって、前記枠部材は、前記面材収容部の外周側に中空部を有する合成樹脂製の枠体と、前記中空部内に設けられる金属製の補強部材と、を有し、前記規制金具は、前記補強部材に取り付けられていることが望ましい。
【０００９】
このような建具によれば、規制金具は、合成樹脂製の枠部材が備える中空部に備えられた金属製の補強部材に取り付けられているので、火災時に合成樹脂製の枠部材が溶融した場合であっても、加熱発泡材の発泡による規制金具の移動を許容しつつも、規制金具を介して面材を枠部材に保持することが可能である。また、補強部材が備えられる中空部は、面材収容部の外周側に配置されているので、規制金具を容易に取り付けることが可能である。
【００１０】
かかる建具であって、前記枠部材は、アルミニウム製の枠体を有し、前記規制金具は、前記枠体に取り付けられていることが望ましい。
【００１１】
このような建具によれば、規制金具は、アルミニウム製の枠部材に取り付けられているので、加熱発泡材の発泡による規制金具の移動を許容しつつも、規制金具を介して面材を枠部材に保持することが可能である。
【００１２】
かかる建具であって、前記枠部材は、前記面材収容部において、収容される前記面材の端面と対向する対向面側から前記面材収容部内に突出するガイド部を有し、前記規制金具は、前記ガイド部に沿って移動可能に設けられ、前記加熱発泡材は、前記規制金具の前記対向面側に設けられていることが望ましい。
【００１３】
このような建具によれば、規制金具は、面材収容部において、収容される面材の端面と対向する対向面側から面材収容部内に突出するガイド部に沿って移動するので、規制金具の対向面側に設けられた加熱発泡部材が発泡した際には、面材の面内方向において規制金具をよりスムーズに対向面から離れる方向に移動させることが可能である。
【００１４】
かかる建具であって、前記規制金具は、前記対向面側に突出し、発泡する前記加熱発泡材を前記対向面側に案内する案内部を有していることが望ましい。
このような建具によれば、加熱発泡材が設けられた規制金具の対向面側に、発泡する加熱発泡材を対向面側に案内する案内部が対向面側に突出させて設けられているので、加熱された加熱発泡材を対向面側に集積させて、規制金具を面材側に押圧することが可能である。
【発明の効果】
【００１５】
本発明によれば、加熱されて面材に撓みが生じたとしても、外周部に設けられた金属製の部材から面材が外れ難い建具を提供することが可能である。
【図面の簡単な説明】
【００１６】
【図１】本実施形態の建具を室内側から見た姿図である。
【図２】図１におけるＡ部の縦断面図である。
【図３】框に取り付けられた規制金具の斜視図である。
【図４】補強部材に取り付けられた規制金具の斜視図である。
【図５】図１におけるＢ−Ｂ断面図である。
【図６】図１におけるＣ−Ｃ断面図である。
【図７】熱膨張性黒鉛が発泡した状態を示す図５に対応する断面図である。
【発明を実施するための形態】
【００１７】
以下、本発明の一実施形態に係る建具について図面を参照して説明する。
本実施形態では、例えば、図１に示すような引き違い窓用の建具１を例に挙げて説明する。
【００１８】
以下の説明においては、建物等に取り付けられた状態の建具１を、室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１９】
本実施形態の建具１は、図１に示すように、２枚の障子２と、障子２をスライド移動自在に支持する窓枠３とを有している。
２枚の障子２は各々、面材としての複層ガラス４と、複層ガラス４の外周部４ａを収容して保持する枠部材６と、複層ガラス４の外周部４ａの面外方向における移動を規制するステンレス製の規制金具７と、規制金具７に設けられ加熱されて発泡する加熱発泡部材としての熱膨張性黒鉛８と、を有している。
【００２０】
枠部材６は、図１〜図４に示すように、合成樹脂製の押出成型材でなる４本の框材９ａを矩形状に枠組みして形成された枠体としての框９と、複層ガラス４を保持するための押縁５と、框９の内部に設けられる鉄製の補強部材１０と、を有している。４本の框材９ａは、端部が長手方向に対して４５度をなすように斜めに切断され、互いに隣接する框材９ａの端部同士を突き合わされて溶着されている。以下の説明においては、４本の框材９ａが矩形状に枠組みされた状態で、框９に囲まれた空間側を内周側、反対側を外周側として説明する。
【００２１】
４本の框材９ａは各々、長手方向に沿う中空部９ｂを有する枠部材本体部９ｃと、枠部材本体部９ｃの室内側の部位から内周側に突出する内周突出部９ｄと、を有している。枠部材本体部９ｃの内周面９ｅの室外側には、外周側に窪み押縁５が嵌合される押縁嵌合部９ｆが設けられている。
【００２２】
押縁嵌合部９ｆに嵌合された押縁５と、枠部材本体部９ｃの内周面９ｅと、内周突出部９ｄの室外側の部位とにより形成される凹部が、複層ガラス４の外周部４ａが収容されるガラス収容部９ｇをなしている。
【００２３】
框材９ａの中空部９ｂ内には、断面がコ字状をなす鉄製の補強部材１０が各々長手方向に沿って設けられており、隣接する補強部材１０同士は端部にて互いに連結部材(不図示)により連結されている。
【００２４】
ガラス収容部９ｇ内には、収容された複層ガラス４の外周部４ａの面外方向の移動を規制する規制金具７が、複層ガラス４の上端部と両側の側端部とにそれぞれ適宜間隔を開けて複数個ずつ設けられている。図１においては、規制金具７を破線にて示し、一部の符号を省略している。
【００２５】
各規制金具７は、枠部材本体部９ｃの、ガラス収容部９ｇを形成する部位、すなわち、ガラス収容部９ｇと中空部９ｂとを仕切る部位に、ガラス収容部９ｇと中空部９ｂとが連通するように設けられた開口９ｈが設けられている。
【００２６】
規制金具７は、複層ガラス４の外周部４ａを挟持する面材挟持部材７０と、面材挟持部材７０が固定され複層ガラス４の面内方向に移動自在に補強部材１０に取り付けられる移動許容部材７３とを有している。
【００２７】
面材挟持部材７０は、複層ガラス４の室内側面に当接される室内当接部材７１と室内側面に当接される室外当接部材７２とを備え、室内当接部材７１と室外当接部材７２とが互いに嵌合されて複層ガラス４の外周部４ａを挟持するように構成されている。
【００２８】
室内当接部材７１は、複層ガラス４の室内側面に当接される室内当接板部７１ａと、室内当接板部７１ａの外周側の端から室外側に延出されて室外当接部材７２が嵌合する室内嵌合板部７１ｂと、室内嵌合板部７１ｂから複層ガラス４の端面に沿う方向の両縁から互いに相反する方向に延出されて移動許容部材７３に固定される固定板部７１ｃとを有している。
【００２９】
室内当接板部７１ａと室内嵌合板部７１ｂとは、いずれも平板状をなしており、断面がＬ字状をなすように形成されており、室内嵌合板部７１ｂには室外当接部材７２の後述する嵌合片７２ｃが嵌合される嵌合孔（不図示）が設けられている。固定板部７１ｃは、室内嵌合板部７１ｂより僅かに外周側に突出するように段曲げされて、室内嵌合板部７１ｂとほぼ平行な面をなすように形成されており、室内当接部材７１を移動許容部材７３に固定するためのビス１２が貫通される貫通孔７１ｄが設けられている。
【００３０】
室外当接部材７２は、複層ガラス４の室外側面に当接される室外当接板部７２ａと、室外当接板部７２ａの外周側の端から室内側に延出されて室内当接部材７１の室内嵌合板部７１ｂと嵌合する室外嵌合板部７２ｂとを有している。室外当接板部７２ａと室外嵌合板部７２ｂとは、いずれも平板状をなしており、断面がＬ字状をなすように形成されており、室外嵌合板部７２ｂには室内当接部材７１の嵌合孔に嵌合する嵌合片７２ｃが設けられている。嵌合片７２ｃは、室内側から室外側に向かって挟持される複層ガラス４側に漸次近づく傾斜をなすように、室外嵌合板部７２ｂの一部が切り起こされて形成されている。
【００３１】
複層ガラス４は、移動許容部材７３にビス止めされた室内当接部材７１の室内嵌合板部７１ｂと移動許容部材７３との間に室外側から、室外当接部材７２の室外嵌合板部７２ｂが挿入されて嵌合されて室内当接板部７１ａと室外当接板部７２ａとに挟持される。
【００３２】
室内嵌合板部７１ｂと移動許容部材７３との間に室外嵌合板部７２ｂが挿入されるときには、嵌合片７２ｃが室内嵌合板部７１ｂにおける嵌合孔より室外側の部位にて曲げ戻されつつ挿入され、嵌合孔に至ったときに嵌合片７２ｃが弾性により復元されて嵌合孔から突出することにより室内当接部材７１と室外当接部材７２とが嵌合され、複層ガラス４における外周部４ａの面外方向の移動が室内当接板部７１ａと室外当接板部７２ａとにより規制される。
【００３３】
移動許容部材７３は、枠部材本体部９ｃに設けられた開口９ｈにて補強部材１０と対向し、ガラス収容部９ｇ内に向かって突出させて補強部材１０に螺着されるガイド部としての段付きビス１１が挿通される挿通孔７３ａを備えた補強部材対向部７３ｂと、補強部材対向部７３ｂにおいて補強部材１０の長手方向に沿う両端部から複層ガラス４の面内方向において補強部材１０から離れる方向にそれぞれ延出された面内方向延出部７３ｃと、面内方向延出部７３ｃの内周側の縁から各々複層ガラス４の補強部材１０の長手方向に沿って互いに相反する方向に延出された長手方向延出部７３ｄと、各々の長手方向延出部７３ｄの先端から補強部材１０側に突出された案内部としての先端突出部７３ｅとを有している。長手方向延出部７３ｄには、面材挟持部材７０が固定板部７１ｃにてビス止めされる。
【００３４】
移動許容部材７３は、挿通孔７３ａに挿通された段付きビス１１が開口９ｈから露出する補強部材１０に螺着されると、補強部材対向部７３ｂが補強部材１０と段付きビス１１の頭部との間にて移動可能な状態となる。移動許容部材７３は、補強部材対向部７３ｂが開口９ｈに挿入されて補強部材１０に当接された状態で、長手方向延出部７３ｄは補強部材１０と、複層ガラス４の面内方向に間隔をおいて配置されるように構成されており、長手方向延出部７３ｄの補強部材１０側の面には加熱されて発泡する加熱発泡材としての熱膨張性黒鉛８が貼り付けられている。
熱膨張性黒鉛８は、加熱されたときに補強部材１０側に向かって発泡するように貼り付けられている。このため、火災などにより熱膨張性黒鉛８が発泡すると、面材挟持部材７０と移動許容部材７３とが接合された規制金具７は、発泡した熱膨張性黒鉛８により挿入されている複層ガラス４の端面４ｂに押圧されるように移動する。
【００３５】
本実施形態の建具１によれば、複層ガラス４の見込み方向(面外方向)の移動を規制するステンレス製の規制金具７は、複層ガラス４の面内方向における枠部材６との間隔が変化する方向に移動可能に設けられており、ステンレス製の規制金具７と枠部材６との間に設けられた熱膨張性黒鉛８は、加熱されたときに複層ガラス４の面内方向において規制金具７と枠部材６との間隔を広げる方向に発泡するので、火炎等に晒されて熱膨張性黒鉛８が膨張すると、規制金具７は、段付きビス１１に挿通された移動許容部材７３とともに室内当接部材７１および室外当接部材７２が複層ガラス４の面内方向において枠部材６から離れる方向、すなわち複層ガラス４の端側に押圧される。このため、火炎等により複層ガラス４に撓みが生じ、複層ガラス４の外周部４ａが規制金具７から離れる方向に移動したとしても、規制金具７は発泡した熱膨張性黒鉛８により複層ガラス４側に押圧されて複層ガラス４と共に移動するため複層ガラス４が規制金具７から外れることを防止することが可能である。すなわち、加熱されて複層ガラス４に撓みが生じたとしても、外周部４ａに設けられた金属製の部材である規制金具７から複層ガラス４が外れ難い建具１を提供することが可能である。
【００３６】
また、規制金具７は、合成樹脂製の框９が備える中空部９ｂに備えられた鉄製の補強部材１０に取り付けられているので、框９が合成樹脂製であっても、熱膨張性黒鉛８の発泡による規制金具７の移動を許容しつつも、規制金具７を枠部材６に保持することが可能である。また、補強部材１０が備えられる中空部９ｂは、ガラス収容部９ｇの外周側に配置されているので、規制金具７を容易に補強部材１０に取り付けることが可能である。
【００３７】
また、規制金具７は、ガラス収容部９ｇにおいて、収容される複層ガラス４の端面４ｂと対向する補強部材１０の対向面１０ａ側からガラス収容部９ｇ内に突出する段付きビス１１に沿って移動するので、規制金具７の対向面１０ａ側に設けられた熱膨張性黒鉛８が発泡した際には、複層ガラス４の面内方向において規制金具７をよりスムーズに対向面１０ａから離れる方向に移動させることが可能である。
【００３８】
また、熱膨張性黒鉛８が設けられた規制金具７の長手方向延出部７３ｄに、発泡する熱膨張性黒鉛８を対向面１０ａ側に案内する先端突出部７３ｅが対向面１０ａ側に突出させて設けられているので、加熱された熱膨張性黒鉛８をより確実に対向面１０ａ側に発泡させて、規制金具７を複層ガラス４側に押圧することが可能である。
【００３９】
上記実施形態においては、規制金具７を框９の中空部９ｂ内に設けられた補強部材１０に取り付けた例について説明したが、框がアルミニウム製の場合には、規制金具７を框に段付きビスにより取り付けても構わない。
【００４０】
上記実施形態においては、引き違い窓用の建具１を例に挙げて説明したが、これに限らず、辷り出し窓用の建具、開き窓用の建具、ＦＩＸ窓用の建具など、面材と面材を保持する枠部材を備えた建具であれば構わない。また、上記実施形態では枠体を框９としたが、これに限らず、障子を支持する窓枠やＦＩＸ窓の窓枠等であっても構わない。
【００４１】
上記実施形態においては、面材を複層ガラスとしたが、これに限らず、例えば単板のガラスであっても構わず、外周部が枠部材に保持され、ガラス以上の耐火性を備えた部材であれば構わない。
また、上記実施形態においては、框材９ａの長さより短いピース部品でなる規制金具７を、適宜間隔を開けて複数配置した例について説明したが、これに限らず、例えば、框材９ａの全長に亘る規制金具７が設けられている構成であっても構わない。
【００４２】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  建具、４  複層ガラス、４ａ  外周部、４ｂ  端面、６  枠部材、
７  規制金具、８  熱膨張性黒鉛、９  框、９ｂ  中空部、９ｃ  枠部材本体部、
１０  補強部材、１０ａ  対向面、１１  段付きビス、７０  面材挟持部材、
７３  移動許容部材、７３ｅ  先端突出部、
【図１】
0006411938.tif 000002
【図２】
0006411938.tif 000003
【図３】
0006411938.tif 000004
【図４】
0006411938.tif 000005
【図５】
0006411938.tif 000006
【図６】
0006411938.tif 000007
【図７】
0006411938.tif 000008